【事件の表示】
　特願２００１−３７４７８６「工作機械」拒絶査定不服審判事件〔平成１５年　６月２４日出願公開、特開２００３−１７５４０２〕について、次のとおり審決する。
【結　論】
　本件審判の請求は、成り立たない。
【理　由】
１．手続の経緯・本願発明
 　本件出願は、平成１３年１２月７日の特許出願であって、平成１７年８月２６日付けで拒絶査定がなされ、これに対し、同年１０月３日に拒絶査定に対する審判請求がなされ、同年１１月１日に手続補正がなされたが、当審において同１９年４月２６日付けで拒絶理由が通知され、平成１９年７月２日に手続補正がなされたものであって、その請求項１乃至２に係る発明は、平成１９年７月２日付けで補正された明細書及び図面の記載からみて、特許請求の範囲の請求項１乃至２に記載された事項により特定されるとおりものと認められるところ、その請求項１に記載された発明（以下、「本願発明」という。）は次のとおりである。
「ベッドと、このベッドの後部に設置された主軸台に支持されワークを支持して回転させる主軸と、ベッドの前部に設けられて前後方向に進退自在な心押軸を有し主軸によって支持されたワークを主軸の軸方向に押さえて支持するテールストックと、主軸台の側方でベッド上に設けられたガイドに沿って左右方向に進退自在な送り台と、この送り台に前後方向に進退自在に設置され前後方向に沿う軸心回りの割出回転が自在なタレットからなる刃物台と、上記ベッドの上方における加工空間を、上記主軸、テールストック、送り台、および刃物台を含めて覆う機体カバーとを備え、上記ベッドは、前部の上面が切粉回収用のホッパー状の凹部として形成されこのホッパー状凹部の最下部に切粉排出開口が形成されたものであり、このホッパー状凹部の傾斜した底面から一体に突出したテールストック設置台部に前記テールストックが設置され、上記機体カバーは、テールストックの前方に位置して開閉可能な正面扉を有するものとした工作機械。」
　　　　　　　　　　　　　　　　　　　　　　　　　　　　　　　
２．刊行物記載の発明（事項）
　これに対し、当審における平成１９年４月２６日付けで通知した拒絶の理由に引用した本件出願前に日本国内で頒布された刊行物である特開２００１−４７３０２号公報（以下、「刊行物１」という。）、実願昭６１−４７９５７号（実開昭６２−１６８２０１号）のマイクロフィルム （以下、「刊行物２」という。）、特開２００１−３１５０４０号公報 （以下、「刊行物３」という。）及び実願平５−３２００１号（実開平６−８５７５０号）のＣＤ−ＲＯＭ（以下、「刊行物４」という。）には、次の事項が記載されていると認められる。
　　　　　　　　　　　　　　　　　　　　　　　　　　　　　　　
（１）刊行物１
ア．段落【０００１】
「【発明の属する技術分野】本発明はワークを回転駆動しつつ切削或いは研削等の加工を行う旋盤に係り、特に、高い剛性が得られるコンパクトな旋盤に関するものである。」
イ．段落【００２３】
「・・・第１スライドドア、第２スライドドア、および上部カバー部材を備えてカバー装置が構成されており、ワークに加工を施す空間が外部から遮断されるため、切削油剤を使用しないドライ加工においても切屑が飛散する恐れがなく、前記ホッパにより良好に集められる。また、第１スライドドアおよび第２スライドドアは開閉可能であるため、刃物台の刃具交換など保守や管理などを容易に行うことができる。」
ウ．段落【００２７】
「・・・タレットヘッドは、回転中心線が第２移動方向と略平行になる姿勢で配置されるが、他の発明の実施に際しては、回転中心線が第１移動方向と略平行になる姿勢や、回転中心線が上下方向になる姿勢など、種々の姿勢で配置することができる・・・」
エ．段落【００３４】
「主軸台１６は、先端部においてチャックによりワーク２４を把持して回転駆動する主軸２６と、その主軸２６を回転駆動する主軸用電動モータ２８とを備えており、主軸２６の中心線Ｌ１が略水平で且つ左側面１４と略平行になるとともに、主軸２６の先端が加工位置Ｒ側を向く姿勢、すなわち立て型コラム１２の正面１８側になる図４、図５の右方向を向く姿勢で配設されており、主軸台移動装置３０により中心線Ｌ１と平行な第１移動方向である立て型コラム旋盤１０の前後方向へ直線往復移動させられるようになっている。」
オ．段落【００３６】
「刃物台２０は、複数の刃具４２が放射状に取り付けられるとともに回転中心線Ｌ２まわりに旋回割出しされるタレットヘッド４４を備えており、その回転中心線Ｌ２が略水平で且つ正面１８と略平行になるとともに、タレットヘッド４４が加工位置Ｒ側を向く姿勢、すなわち立て型コラム１２の左側面１４側になる図５の下方を向く姿勢で、回転中心線Ｌ２が前記主軸２６の中心線Ｌ１と略同じ高さになる位置に配設されており、刃物台移動装置４６により回転中心線Ｌ２と略平行な第２移動方向である立て型コラム旋盤１０の左右方向へ直線往復移動させられるようになっている。刃物台移動装置４６により回転中心線Ｌ２と略平行な第２移動方向である立て型コラム旋盤１０の左右方向へ直線往復移動させられるようになっている。刃物台移動装置４６は、刃物台２０を第２移動方向の移動可能に正面１８に配設している刃物台用スライド機構４８と、送りねじを介してスライド機構４８の可動部（刃物台２０）を第２移動方向へ直線往復移動させる刃物台スライド用電動モータ５０とを備えている。スライド機構４８は、正面１８に固設されたガイドレールや、そのガイドレールに案内されて直線移動させられるとともに刃物台２０が固設されるスライダ（可動部）等を含んで構成されている。」
カ．段落【００４９】
「・・・立て型コラム旋盤１０は、図８〜図１０に示すカバー装置８０によって覆蓋されるようになっている。・・・このカバー装置８０は、前記加工位置Ｒを独立に略密閉するようになっており、前記主軸台１６の第１移動方向の直線往復移動を許容しつつ切屑が主軸台移動装置３０側へ侵入することを防止する主軸側仕切り部材８２と、刃物台２０の第２移動方向の直線往復移動を許容しつつ切屑が刃物台移動装置４６側へ侵入することを防止する刃物台側仕切り部材８４と、加工位置Ｒを挟んで刃物台側仕切り部材８４と反対側すなわち旋盤１０の左側面側を閉塞する第１スライドドア８６と、加工位置Ｒを挟んで主軸台側仕切り部材８２と反対側すなわち旋盤１０の正面側を閉塞する第２スライドドア８８とを備えている。また、それ等の主軸台側仕切り部材８２、刃物台側仕切り部材８４、第１スライドドア８６、および第２スライドドア８８によって囲まれた略四角柱形状の空間・・・その空間の下方にはホッパ９２が設けられ、上方から落下する切屑を集めて・・・」
キ．段落【００５６】
「ホッパ９２は、図１７に示すように略垂直な１枚の側壁部１４８と、上方へ向かうに従って外側へ開くように傾斜した３枚の側壁部１５０、１５２、１５４とから成る略四角形の枠形状を成しており、上端開口１５６内に落下した切屑を側壁部１５０、１５２、１５４に沿って内側へ滑り落とし、下端開口１５８からチップコンベア９４上に落下させる。・・・」
ク．段落【００６０】
　「・・・第１スライドドア８６、第２スライドドア８８、およびシャッター９０を備えてカバー装置８０が構成されており、ワーク２４に加工を施す空間が外部から遮断されるため、切削油剤を使用しないドライ加工においても切屑が飛散する恐れがなく、ホッパ９２により良好に集められる。また、第１スライドドア８６および第２スライドドア８８は開閉可能であるため、刃物台２０の刃具交換など保守や管理などを容易に行うことができる。」
ケ．図１及び図２
　立て型コラム旋盤１０の全体からみて前後方向に関して後部に主軸台１６が設置された立て型コラムが設けられ、立て型コラム旋盤１０の同じく前部にホッパが設けられ、このホッパの主軸前方には傾斜した側壁部が形成されていることが看取される。
コ．図２及び図９
　カバー装置８０は、主軸、刃物台、タレットヘッドおよびホッパ９２を含めて覆い、第２スライドドア８８は主軸の前方に位置していることが看取される。
　　　　　　　　　　　　　　　　　　　　　　　　　　　　　　　
　上記摘記事項イにおいて、「ワークに加工を施す空間」は「加工空間」ということができる。
　上記摘記事項を、技術常識を踏まえ、本願発明に照らして整理すると、刊行物１には、次の発明（以下、「引用発明」という。）が記載されていると認められる。
「立て型コラム旋盤１０の後部に設けられた立て型コラム１２に前後方向に進退自在に配設された主軸台に支持されワークを支持して回転させる主軸と、主軸台の側方で立て型コラム１２上に設けられたガイドレールに沿って左右方向に進退自在な刃物台２０と、この刃物台２０に設置され前後方向に沿う軸心回りの割出回転が自在なタレットヘッド４４と、加工空間を、上記主軸、刃物台２０、タレットヘッド４４及びホッパ９２を含めて覆うカバー装置８０とを備え、立て型コラム旋盤１０の前部に切粉回収用のホッパ９２が設けられ、このホッパ９２の最下部に下端開口１５８が形成されるとともに、ホッパ９２の主軸前方には傾斜した側壁部が形成されたものであり、上記カバー装置８０は、主軸の前方に位置して開閉可能な第２スライドドア８８を有するものとした立て型コラム旋盤１０。」
　　　　　　　　　　　　　　　　　　　　　　　　　　　　　　　
（２）刊行物２
ア．第１頁第１３〜１５行
「〔産業上の利用分野〕
　この考案は旋盤におけるテールストック装置に関する。」
イ．第１頁第１６行〜第２頁第９行
「〔従来の技術〕
　旋盤において長尺の棒材を加工する場合に、棒材の先端を支持するためにテールストック装置（心押台装置）が用いられる。
　したがって、小型の旋盤等でチャック作業を専門に行う旋盤の場合にはテールストック装置が設けられていない。
〔考案が解決しようとする問題点〕
　ところが、上記のような旋盤でも一時的に、あるいは中、長期的にチャック作業専用から汎用作業用へと用途を変更したい場合があり、その場合にはテールストック装置が必要となる。」
ウ．第３頁第１〜７行
「脚部に高さ調節自在なアジャストボルトを設けた架台上に・・・テールストック本体・・・を設けたことを特徴とするテールストック装置である。」
エ．第３頁第１８行〜第４頁第１５行
「アジャストボルト（５）はベッド（６）に形成した大径のねじ孔（７）に螺入するジャッキボルト（８）と、該ジャッキボルト（８）を貫き脚部（１ａ）とジャッキボルト頭部（８ａ）とを挟んでベッド（６）に形成した小径のねじ孔（９）に螺入する締着ボルト（１１）とからなっている。
　テールストック本体（２）は・・・ハウジングブロック（１４）と、該ハウジングブロック（１４）内のシリンダにより進退動するセンタ（１５）とから構成されている。」
オ．第５頁第９〜１４行
 「この実施例のテールストック装置は上記のようになっているので、ベッド（６）上に前記のようなねじ孔（７）（９）を形成するだけで、センタ（１５）の中心を図示しない主軸スピンドルに正確に一致させて取付けることができる。」
　　　　　　　　　　　　　　　　　　　　　　　　　　　　　　 
　上記摘記事項を、技術常識を踏まえ整理すると、刊行物２には、次の事項（以下、「刊行物２記載の事項」という。）が記載されていると認められる。
「テールストック装置（心押台装置）が設けられていない旋盤において、進退自在なセンタ（１５）を有し主軸スピンドルによって支持された長尺の棒材を主軸の軸方向に押さえて支持するテールストック装置をベッド（６）上に設置すること。」 
　　　　　　　　　　　　　　　　　　　　　　　　　　　　　　　
（３）刊行物３
ア．段落【０００１】
「【発明の属する技術分野】本発明は、コラムをベッドに固定させたコラム固定形工作機械に関する。」
イ．段落【００１２】
「・・・ベッド１は鋼板で箱形に形成され、コラム２よりも前側の上面に、支持部材９、９を固着されたものとなされている。ベッド１の中央には切削屑や切削液を特定箇所へ落下させるための落下孔１０が形成されている。」
ウ．段落【００３０】
「このように形成したコラム側カバー体ｃｏｖ１の前方には図１３に示すような治具装置４２が装設されるのであり、この治具装置４２は次のようなものとなされている。即ち、前記支持部材９、９のそれぞれに中間台４３、４３を固定して、各中間台４３、４３上に軸受体４４ａ、４４ｂを固定している。これら左右の軸受体４４ａ、４４ｂの間にはＵ字形のワーク受け部４５と、このワーク受け部４５に載置されたワークｗをワーク受け部４５に固定させるためのクランプ手段４６とを備えた治具本体部４７を、横向き軸４８ａ、４８ｂを介して、これらの軸４８ａ、４８ｂ回りの回動可能に架設している。・・・」
エ．図１３
　ベッド１は、前部の上面がホッパー状の凹部として形成されこのホッパー状の凹部の最下部に落下口１０が形成されたものであり、治具装置が前記ホッパー状凹部の傾斜した底面から突出した前記ワーク支持装置の支持部材９，９に設置されていることが看取される。
　　　　　　　　　　　　　　　　　　　　　　　　　　　　　　　
　上記摘記事項ウにおいて、治具装置４２は、ワークを固定させるためのクランプ手段を備えた治具本体部４７等から構成されているから、ワーク支持装置ということができる。
　上記摘記事項を、技術常識を踏まえ整理すると、刊行物３には、次の事項（以下、「刊行物３記載の事項」という。）が記載されていると認められる。
「工作機械のベッド１は、上面が切粉回収用のホッパー状の凹部として形成され、このホッパー状凹部の最下部に落下口１０が形成されたものであり、ワーク支持装置が前記ホッパー状凹部の傾斜した底面から突出した前記ワーク支持装置の支持部材９，９に設置されていること。」 
　　　　　　　　　　　　　　　　　　　　　　　　　　　　　　　
（４）刊行物４
ア．段落【０００１】
「  【産業上の利用分野】
  この考案は、平行２軸旋盤において左右の主軸の前方空間を仕切るセンタ仕切装置に関する。」
イ．段落【０００７】
「   【実施例】
  ・・・
  図１（Ａ）はこの実施例のセンタ仕切装置を装備した平行２軸旋盤の平面断面図であり、図２はその外観斜視図である。
　この平行２軸旋盤１はタレット旋盤であって、２本の主軸２とこれらの主軸２に対応する２個の工具タレット３とが左右に振り分けてベッド４上に設けられている。主軸２はベッド４に設置したヘッドストック５に支持され、主軸チャック２ａが装着してある。工具タレット３は、タレットキャリッジ６に搭載され、タレットキャリッジ６は、ベッド４のレール７上を主軸２の軸方向（Ｚ軸方向）と直交する方向（Ｘ軸方向）に移動自在である。」
ウ．図１（Ａ）
　ベッド４の前後方向に関してその後部にヘッドストック５が設置され、タレットキャリッジ６が前記ヘッドストック５の側方でベッド４上に設けられたレール７に沿って左右方向に進退自在に設置されており、工具タレット３は、前後方向に沿う軸心回りの割出回転が自在であり、タレット軸を介して前記タレットキャリッジ６に搭載されていることが看取される。
　　　　　　　　　　　　　　　　　　　　　　　　　　　　　　　
　上記摘記事項ウにおいて、工具タレット３はタレット軸を介してタレットキャリッジ６に搭載されていることから、工具タレット３は、加工の必要上、当然にこのタレットキャリッジ６に前後方向に進退自在に設置されていると解される。（必要であれば、特開平５−９６４４９号公報の第２頁第２欄第２６〜２８行及び図２、特開平１１−３００５７７号公報の第３頁第３欄第３３〜３６行及び図１参照。）
　上記摘記事項を、技術常識を踏まえ整理すると、刊行物４には、次の事項（以下、「刊行物４記載の事項」という。）が記載されていると認められる。
「ベッド４と、このベッド４の後部に設置されたヘッドストック５に支持された主軸２と、ヘッドストック５の側方でベッド４上に設けられたレール７に沿って左右方向に進退自在なタレットキャリッジ６とを備えた旋盤１において、前後方向に沿う軸心回りの割出回転が自在な工具タレット３が前記タレットキャリッジ６に前後方向に進退自在に設置されていること。」
　　　　　　　　　　　　　　　　　　　　　　　　　　　　　　　
３．対比
　本願発明と、引用発明とを対比すると、
　引用発明における「ガイドレール」は本願発明における「ガイド」に、以下同様に、「刃物台２０」は「送り台」に、「タレットヘッド４４」は「タレットからなる刃物台」に、「カバー装置８０」は「機体カバー」に、「ホッパ９２」は「切粉回収用のホッパー状の凹部」に、「傾斜した側壁部１５０、１５２、１５４」は「ホッパー状凹部の傾斜した底面」に、「第２スライドドア８８」は「正面扉」に、それぞれ、相当することは明らかである。また、引用発明における「立て型コラム１２」は、主軸台１６及び刃物台２０が配設されているから「ベッド」ということができ、同じく「立て型コラム旋盤１０」は「工作機械」ということができる。
　そして、引用発明における「立て型コラム旋盤１０の後部に設けられた立て型コラム１２に前後方向に進退自在に配設された主軸台」及び「立て型コラム旋盤１０の前部に切粉回収用のホッパ９２が設けられ」たことは、「工作機械の後部に設けられた主軸台」及び「工作機械の前部に切粉回収用のホッパー状の凹部が設けられ」たことである限りにおいて、それぞれ、本願発明における「ベッドの後部に設置された主軸台」及び「ベッドは、前部の上面が切粉回収用のホッパー状の凹部として形成され」たことと共通しており、引用発明における「カバー装置８０は、主軸の前方に位置して開閉可能な第２スライドドア８８を有するもの」は、「機体カバーは、主軸の前方に位置して開閉可能な正面扉を有するもの」である限りにおいて、本願発明の「機体カバーは、テールストックの前方に位置して開閉可能な正面扉を有するもの」と共通している。
　また、引用発明における「主軸台が前後方向に進退自在に設置された」ことは、「主軸とタレットからなる刃物台とが相対的に前後方向に進退自在に設置された」ことである限りにおいて、本願発明における「タレットからなる刃物台が前後方向に進退自在に設置された」ことと共通している。
　　　　　　　　　　　　　　　　　　　　　　　　　　　　　　　
　以上のことより、両者の一致点及び相違点は、以下のとおりである。
［一致点］
「工作機械の後部に設けられた主軸台に支持されワークを支持して回転させる主軸と、主軸台の側方でベッド上に設けられたガイドに沿って左右方向に進退自在な送り台と、この送り台に設置され前後方向に沿う軸心回りの割出回転が自在なタレットからなる刃物台と、加工空間を、上記主軸、送り台、および刃物台を含めて覆う機体カバーとを備え、主軸とタレットからなる刃物台とが相対的に前後方向に進退自在に設置され、工作機械の前部に切粉回収用のホッパー状の凹部が設けられ、このホッパー状凹部の最下部に切粉排出開口が形成され、上記機体カバーは、主軸の前方に位置して開閉可能な正面扉を有するものとした工作機械。」である点。
　　　　　　　　　　　　　　　　　　　　　　　　　　　　　　　
〔相違点１〕
　タレットからなる刃物台が、
　本願発明では、主軸台の側方でベッド上に設けられたガイドに沿って左右方向に進退自在な送り台に、前後方向に進退自在に設置されているのに対して、
　引用発明では、主軸台の側方でベッド上に設けられたガイドに沿って左右方向に進退自在に設けられていて、主軸台が前後方向に進退自在に設置されている点。
　　　　　　　　　　　　　　　　　　　　　　　　　　　　　　　
〔相違点２〕
　本願発明では、ベッドの後部に主軸台が設置され、ベッドの前部に設けられて前後方向に進退自在な心押軸を有し主軸によって支持されたワークを主軸の軸方向に押さえて支持するテールストックを備え、ベッドの前部の上面が切粉回収用のホッパー状の凹部として形成され、このホッパー状凹部の傾斜した底面から一体に突出したテールストック設置台部に前記テールストックが設置されていて、したがって、加工空間はベッドの上方となり正面扉はテールストックの前方に位置していることになるのに対して、
　引用発明では、切粉回収用のホッパー状凹部は工作機械の前部に設けられているものの主軸台が配設されたベッドの前部に形成されてなく、また、テールストックを備えてなく、したがって、加工空間はベッドの上方となり正面扉はテールストックの前方に位置していることにならない点。
　　　　　　　　　　　　　　　　　　　　　　　　　　　　　　　
４．相違点についての判断
（１）相違点１について
　上記刊行物４記載の事項における「ヘッドストック５」、「レール７」、「タレットキャリッジ６」及び「工具タレット３」は、それぞれ、本願発明における「主軸台」、「ガイド」、「送り台」及び「タレットからなる刃物台」に相当することは明らかであることから、刊行物４記載の事項は、「ベッドと、このベッドの後部に設置された主軸台に支持された主軸と、主軸台の側方でベッド上に設けられたガイドに沿って左右方向に進退自在な送り台とを備えた旋盤において、前後方向に沿う軸心回りの割出回転が自在なタレットからなる刃物台が前記送り台に前後方向に進退自在に設置されていること。」とすることができる。
　そして、引用発明と刊行物４に記載された事項とは、旋盤の後部に設けられた主軸台に支持された主軸と、主軸台の側方に設けられたガイドに沿って左右方向に進退自在な送り台とを備えた旋盤である点で技術分野が一致するものであるから、引用発明に刊行物４に記載された事項を適用し、引用発明の主軸台が前後方向に進退自在に設置されることに代えてタレットからなる刃物台を送り台に前後方向に進退自在に設置するようになすことは当業者であれば容易になし得たことである。
　　　　　　　　　　　　　　　　　　　　　　　　　　　　　　　
（２）相違点２について
　刊行物２記載の事項における「テールストック装置」、「主軸スピンドル」、「センタ（１５）」及び「長尺の棒材」は、それぞれ、本願発明における「テールストック」、「主軸」、「心押軸」及び「ワーク」に、それぞれ、相当することは明らかであるから、刊行物２記載の事項は、「テールストックが設けられていない旋盤において、進退自在な心押軸を有し主軸によって支持されたワークを主軸の軸方向に押さえて支持するテールストックをベッド上に設置すること。」とすることができる。
　また、刊行物３記載の事項における「落下口１０」及び「支持部材９，９」は、それぞれ、本願発明における「切粉排出開口」及び「設置台部」に相当することは明らかであるから、刊行物３記載の事項は、「工作機械のベッドは、上面が切粉回収用のホッパー状の凹部として形成され、このホッパー状凹部の最下部に切粉排出開口が形成され、ワーク支持装置が前記ホッパー状凹部の傾斜した底面から突出した前記ワーク支持装置の設置台部に設置されていること。」とすることができる。
　そして、引用発明と刊行物２記載の事項とは旋盤である点で技術分野が一致し、引用発明と刊行物３記載の事項とは共に工作機械として技術分野が共通するものである。また、相違点１について検討したように、引用発明の主軸台が前後方向に進退自在に設置されることに代えてタレットからなる刃物台を送り台に前後方向に進退自在に設置するようになすことは当業者が容易になし得たことである。
　してみると、テールストックが設けられていない旋盤である引用発明に、ワーク支持装置の設置に関する刊行物３に記載の事項を勘案してテールストックが設けられたものである刊行物２記載の事項を適用することにより、引用発明のホッパー状凹部をベッド上に形成し、主軸の前方に位置するホッパー状凹部の傾斜した底面にテールストック設置台部を設けることは当業者であれば容易に想到し得たことであり、また、剛性を高めるために一体構造とすることは、例示するまでもなく工作機械の分野において周知の事項であるから、前記テールストック設置台部をホッパー状凹部の傾斜した底面から一体に突出したものとすることは設計的事項にすぎないことである。また、加工空間がベッド上方になり正面扉はテールストックの前方に位置することは自明な事項である。
　　　　　　　　　　　　　　　　　　　　　　　　　　　　　　　
　そして、本願発明の奏する効果も、引用発明、刊行物２記載の事項、刊行物３記載の事項、刊行物４記載の事項及び上記周知の事項から十分予測できる程度のものであって格別なものでもない。
　したがって、本願発明は、引用発明、刊行物２記載の事項、刊行物３記載の事項、刊行物４記載の事項及び上記周知の事項に基づいて当業者が容易に発明をすることができたものである。
　　　　　　　　　　　　　　　　　　　　　　　　　　　　　　　
５．むすび 
　以上のとおり、本願発明は、引用発明、刊行物２記載の事項、刊行物３記載の事項、刊行物４記載の事項及び周知の事項に基づいて当業者が容易に発明をすることができたものであるから、特許法第２９条第２項の規定により特許を受けることができない。
　したがって、その余の請求項に係る発明について検討するまでもなく本件出願は拒絶するべきものである。
　よって、結論のとおり審決する。